(57)【要約】      （修正有）【課題】採血等において片手で簡単に外すことができる駆血帯固定具を提供する。【解決手段】腕Ａに巻装して腕Ａの静脈を圧迫して怒張させる駆血帯１１を固定しうる駆血帯固定具１０において、駆血帯１１の一端部１２を挿通固定しうる孔部１３が設けられた係止部と、係止部に連設され、駆血帯１１の他端部１５を挟持固定しうる挟持部１６とを有している。係止部は薄板状部材であって、全体略長円状に形成されると共に、孔部１３は略長円状であって係止部の外縁から所定寸法内方へ離間して形成されている。挟持部１６は、薄板状に形成されたベースフレーム部と、ベースフレーム部に設けられたリンク構造とにより構成されている。【選択図】図１
0003204836.tif 000002
【実用新案登録請求の範囲】
【請求項１】
腕に巻装して前記腕の静脈を圧迫して怒張させる駆血帯を固定しうる駆血帯固定具において、前記駆血帯の一端部を挿通固定しうる孔部が設けられた係止部と、前記係止部に連設され、前記駆血帯の他端部を挟持固定しうる挟持部とを有していることを特徴とする駆血帯固定具。
【請求項２】
前記挟持部は、ベースフレーム部と、前記ベースフレーム部に設けられたリンク構造とにより構成され、
前記リンク構造は、第一固定関節部と、前記第一固定関節部と離間して設けられた第二固定関節部と、一端部が前記第一固定関節部に回動可能に取付けられた駆動リンク部と、一端部が前記第二固定関節部に回動可能に取付けられた従動リンク部と、前記駆動リンク部の他端部と前記従動リンク部の他端部とを連結する連結リンク部とを有し、前記駆動リンク部が回動した場合には、前記連結リンク部を介して、前記従動リンク部が回動し、前記従動リンク部と前記ベースフレーム部との間に前記駆血帯を挟持固定するように構成されていることを特徴とする請求項１記載の駆血帯固定具。
【請求項３】
前記ベースフレーム部は、前記第一固定関節部が取り付けられたベースフレーム本体部と、前記ベースフレーム本体部から延出して形成され、前記第二固定関節部が取り付けられた第一アーム部と、前記第一アーム部から延出して折曲形成された第二アーム部とを有していることを特徴とする請求項２記載の駆血帯固定具。
【請求項４】
前記駆動リンク部には操作部が設けられ、前記操作部を固定操作した場合には、前記従動リンク部は前記連結リンク部を介して前記第二アーム部へ接近するように回動し、前記駆血帯の他端部を前記第二アーム部との間に挟持する一方、前記操作部を開放操作した場合には、前記従動リンク部は前記連結リンク部を介して前記第二アーム部から離間するように回動し、前記駆血帯の他端部を前記第二アーム部との間から解放することを特徴とする請求項３記載の駆血帯固定具。
【請求項５】
前記ベースフレーム部は全体が湾曲して形成され、前記駆血帯を前記腕に巻装した場合には、前記ベースフレーム部が前記腕に沿って装着されることを特徴とする請求項２〜４のいずれか１項に記載の駆血帯固定具。
【請求項６】
前記駆血帯は、ゴム製であることを特徴とする請求項２〜５のいずれか１項に記載の駆血帯固定具。
【考案の詳細な説明】
【技術分野】
【０００１】
本考案は、採血等において使用される駆血帯を固定するための固定具に関するものである。
【背景技術】
【０００２】
従来より、採血や静脈注射等において静脈を穿刺する際に、静脈を圧迫して怒張させ、穿刺しやすくするために駆血帯が用いられている。駆血帯には、ゴム管を腕に直接巻装するものや、一端部に洗濯バサミ状の挟持部を有し、他端部を挟持固定しうるものが知られている。
【０００３】
一般に、駆血帯は採血が完了する直前に外す必要があるため、片手で注射器を持ちながら、もう一方の手で駆血帯を外せることが求められている。
しかしながら、例えば、特許文献１に記載の技術にあっては、留め具を有しているため、片手で簡単に外すことができないという不具合があった。このような不具合は、従来の駆血帯に共通する課題である。
【特許文献１】実用新案登録第３１５０２３７号公報
【考案の開示】
【考案が解決しようとする課題】
【０００４】
本考案は、以上のような従来からの不具合を解消するためのものであって、その課題は、採血等において片手で簡単に外すことができる駆血帯固定具を提供することにある。
【課題を解決するための手段】
【０００５】
前記課題を解決するために、請求項１に記載の考案にあっては、腕に巻装して前記腕の静脈を圧迫して怒張させる駆血帯を固定しうる駆血帯固定具において、前記駆血帯の一端部を挿通固定しうる孔部が設けられた係止部と、前記係止部に連設され、前記駆血帯の他端部を挟持固定しうる挟持部とを有していることを特徴とする。
【０００６】
怒張とは、血管が平常時より膨れることを意味し、採血時においては、静脈血を圧迫することで末梢側に血液を流れ込ませ、末梢側の血管を拡張することによって行なうことができる。
従って、前記駆血帯の前記一端部を前記孔部に挿通して固定し、前記駆血帯を前記腕に巻装して前記駆血帯の前記他端部を前記挟持部に挟持した場合には、前記駆血帯が前記腕に固定され、前記腕の静脈が圧迫され怒張する。また、前記挟持部から前記駆血帯の前記他端部が開放された場合には、前記駆血帯が前記腕に巻装された状態から開放される。
【０００７】
請求項２に記載の考案にあっては、前記挟持部は、ベースフレーム部と、前記ベースフレーム部に設けられたリンク構造とにより構成され、前記リンク構造は、第一固定関節部と、前記第一固定関節部と離間して設けられた第二固定関節部と、一端部が前記第一固定関節部に回動可能に取付けられた駆動リンク部と、一端部が前記第二固定関節部に回動可能に取付けられた従動リンク部と、前記駆動リンク部の他端部と前記従動リンク部の他端部とを連結する連結リンク部とを有し、前記駆動リンク部が回動した場合には、前記連結リンク部を介して、前記従動リンク部が回動し、前記従動リンク部と前記ベースフレーム部との間に前記駆血帯を挟持固定するように構成されていることを特徴とする。
【０００８】
従って、前記駆動リンク部が回動した場合には、前記連結リンク部を介して、前記従動リンク部が回動し、前記従動リンク部と前記ベースフレーム部との間に前記駆血帯の前記他端部が挟持固定される。
【０００９】
請求項３に記載の考案にあっては、前記ベースフレーム部は、前記第一固定関節部が取り付けられたベースフレーム本体部と、前記ベースフレーム本体部から延出して形成され、前記第二固定関節部が取り付けられた第一アーム部と、前記第一アーム部から延出して折曲形成された第二アーム部とを有していることを特徴とする。
【００１０】
従って、前記駆動リンク部が回動した場合には、前記連結リンク部を介して、前記従動リンク部が前記第一アーム部を基準に回動し、前記従動リンク部と前記第二アーム部との間に前記駆血帯の前記他端部が挟持固定される。
【００１１】
請求項４に記載の考案にあっては、前記駆動リンク部には操作部が設けられ、前記操作部を固定操作した場合には、前記従動リンク部は前記連結リンク部を介して前記第二アーム部へ接近するように回動し、前記駆血帯の他端部を前記第二アーム部との間に挟持する一方、前記操作部を開放操作した場合には、前記従動リンク部は前記連結リンク部を介して前記第二アーム部から離間するように回動し、前記駆血帯の他端部を前記第二アーム部との間から解放することを特徴とする。
【００１２】
従って、前記操作部が固定操作された場合には、前記従動リンク部は前記連結リンク部を介して前記第二アーム部へ接近するように回動し、前記駆血帯の前記他端部が前記第二アーム部との間に挟持される一方、前記操作部が開放操作された場合には、前記従動リンク部は前記連結リンク部を介して前記第二アーム部から離間するように回動し、前記駆血帯の前記他端部が前記第二アーム部との間から解放される。
【００１３】
請求項５に記載の考案にあっては、前記ベースフレーム部は全体が湾曲して形成され、前記駆血帯を前記腕に巻装した場合には、前記ベースフレーム部が前記腕に沿って装着されることを特徴とする。
【００１４】
従って、前記駆血帯が前記腕に巻装された場合には、前記ベースフレーム部が前記腕に沿って装着される。
【００１５】
請求項６に記載の考案にあっては、前記駆血帯はゴム製であることを特徴とする。
【考案の効果】
【００１６】
請求項１に記載の駆血帯固定具にあっては、前記駆血帯の前記一端部を前記孔部に挿通して固定し、前記駆血帯を前記腕に巻装して前記駆血帯の前記他端部を前記挟持部に挟持した場合には、前記駆血帯が前記腕に固定され、前記腕の静脈が怒張する一方で、前記挟持部から前記駆血帯の前記他端部が開放された場合には、前記駆血帯が前記腕に巻装された状態から開放されるので、前記挟持部の操作のみで前記駆血帯の着脱が可能となる。
その結果、採血等において片手で簡単に外すことができる駆血帯固定具を提供することができる。
【００１７】
請求項２〜４に記載の駆血帯固定具にあっては、前記駆動リンク部が回動した場合には、前記連結リンク部を介して、前記従動リンク部が回動し、前記従動リンク部と前記ベースフレーム部との間に前記駆血帯の前記他端部が挟持固定されるので、前記駆動リンク部を回動させることによって、前記挟持部を直接操作することなく、前記駆血帯の前記他端部を固定することができる。
【００１８】
特に、請求項４に記載の駆血帯固定具にあっては、前記操作部が固定操作された場合には、前記従動リンク部は前記連結リンク部を介して前記第二アーム部へ接近するように回動し、前記駆血帯の前記他端部が前記第二アーム部との間に挟持される一方、前記操作部が開放操作された場合には、前記従動リンク部は前記連結リンク部を介して前記第二アーム部から離間するように回動し、前記駆血帯の前記他端部が前記第二アーム部との間から解放されるので、前記操作部を回動させることによって、前記挟持部を直接操作することなく、前記駆血帯の前記他端部を固定し、又、解放することができる。
【００１９】
請求項５に記載の駆血帯固定具にあっては、前記駆血帯が前記腕に巻装された場合には、前記ベースフレーム部が前記腕に沿って装着されるので、前記駆血帯が前記腕に巻装された状態において、前記ベースフレーム部によって部分的に前記腕が圧迫されるといった事態を防止し、前記駆血帯による適切な血管圧迫状態を保つことができる。
【００２０】
請求項６に記載の駆血帯固定具にあっては、前記駆血帯はゴム製であるので、前記駆血帯を前記腕に巻装して前記駆血帯の前記他端部を伸長した状態で前記挟持部に挟持した場合には、前記駆血帯がゴムの復元力により前記挟持部を構成する前記従動リンク部を厚さ方向において前記ベースフレーム部側へと牽引するので、前記従動リンク部の回動動作を制限することができ、その結果、前記駆血帯を確実に固定することができる。
【図面の簡単な説明】
【００２１】
【図１】図１は、本考案に係る駆血帯固定具の一実施の形態において、駆血帯を腕に固定した状態を示す斜視図である。
【図２】図２は、本考案に係る駆血帯固定具の一実施の形態において、駆血帯を腕に固定した状態を示す側面図である。
【図３】図３は、本考案に係る駆血帯固定具の一実施の形態において、（ａ）は駆血帯の解放操作をする状態を示す側面図、（ｂ）は解放又は固定操作を行う途中の状態を示す側面図、（ｃ）は駆血帯の固定操作をする状態を示す側面図である。
【考案を実施するための最良の形態】
【００２２】
以下、添付図面に示す実施の形態に基づき、本考案を詳細に説明する。
図１〜図３に示すように、本考案の一実施の形態に係る駆血帯固定具１０は、全体が金属製であって、腕Ａに巻装して腕Ａの静脈を圧迫して怒張させるゴム製の駆血帯１１を固定するように構成され、駆血帯１１の一端部１２を挿通固定しうる孔部１３が設けられた係止部１４と、係止部１４に連設され、駆血帯１１の他端部１５を挟持固定しうる挟持部１６とを有している。
【００２３】
図１〜図３に示すように、本実施の形態に係る係止部１４は薄板状部材であって、全体略長円状に形成されると共に、孔部１３は略長円状であって係止部１４の外縁から所定寸法内方へ離間して形成されている。
図１〜図３に示すように、本実施の形態に係る挟持部１６は、薄板状に形成されたベースフレーム部１７と、ベースフレーム部１７に設けられたリンク構造１８とにより構成されている。
【００２４】
図１〜図３に示すように、本実施の形態に係るリンク構造１８は、平面円盤状であって、所定の厚さ寸法を有するテーパー状に形成された第一固定関節部１９と、第一固定関節部１９と離間して設けられた第二固定関節部２０と、一端部２１が第一固定関節部１９に回動可能に取付けられた駆動リンク部２２と、一端部２３が第二固定関節部２０に回動可能に取付けられた従動リンク部２４と、駆動リンク部２２の他端部２５と従動リンク部２４の他端部２６とを連結する連結リンク部２７とを有している。
図１〜図３に示すように、本実施の形態に係る駆動リンク部２２、従動リンク部２４、及び、連結リンク部２７は、夫々、薄板状部材として形成されている。
また、図１〜図３に示すように、駆動リンク部２２の一端部２１、及び、従動リンク部２４の一端部２３は、夫々、リベット４０、４１により、第一固定関節部１９、及び、第二固定関節部２０にかしめられることによって回動可能に固定されている。
またさらに、図１〜図３に示すように、駆動リンク部２２の他端部２５と連結リンク部２７の一端部４５、及び、従動リンク部２４の他端部２６と連結リンク部２７の他端部４６は、夫々、リベット４２、４３により回動可能に固定されている。
特に、図１〜図３に示すように、本実施の形態にあっては、厚さ方向に沿って、上から連結リンク部２７、駆動リンク部２２、従動リンク部２４の順に取り付けられ、ゴム製の駆血帯１１の他端部１５を伸長した状態で挟持部１６に挟持した場合には、駆血帯１１がゴムの復元力により挟持部１６を構成する従動リンク部２４を厚さ方向においてベースフレーム部１７側へと牽引して、従動リンク部２４の回動動作を制限するように構成されている。
また、図１〜図３に示すように、本実施の形態に係る駆動リンク部２２の他端部２５には折曲して半円状に延設された規制部４４が設けられている。
【００２５】
また、図１〜図３に示すように、本実施の形態に係るベースフレーム部１７は、第一固定関節部１９が取り付けられた略楕円状のベースフレーム本体部２８と、ベースフレーム本体部２８の図３中右前方から延出して、先端に至るに従って細くなるテーパー状に形成され、第二固定関節部２０が取り付けられた第一アーム部２９と、第一アーム部２９の端部から延出して略９０度の角度をもって折曲形成された略細長長方形状の第二アーム部３０とを有している。
図１〜図３に示すように、本実施の形態に係る第二アーム部３０は、第一アーム部２９の一般面に対して、先端に至るに従って徐々に傾斜して形成され、厚さ方向上方に突出するように形成されている。また、図１〜図３に示すように、第二アーム部３０は、先端部３１がベースフレーム本体部２８方向へ折曲されて半円状に延設されている。
また、図１〜図３に示すように、第二アーム部３０の長さ方向全域に沿って円筒状のリング状部材３２が取り付けられている。
【００２６】
図１〜図３に示すように、本実施の形態に係る駆動リンク部２２には、リベット４２と一体に形成され、厚さ方向上方に突出して形成された操作部３５が設けられている。
図３（ｂ）、（ｃ）に示すように、操作部３５を固定操作した場合には（図中矢印Ｌ）、駆動リンク部２２が回動し、従動リンク部２４は連結リンク部２７を介して第二アーム部３０へ接近するように回動し、駆血帯１１の他端部１５を第二アーム部３０のリング状部材３２との間に挟持するように構成されている。
また一方、図３（ａ）、（ｂ）に示すように、操作部３５を開放操作した場合には（図中矢印Ｆ）、駆動リンク部２２が回動し、従動リンク部２４は連結リンク部２７を介して第二アーム部３０から離間するように回動し、駆血帯１１の他端部１５を第二アーム部３０のリング状部材３２との間から解放するように構成されている。
【００２７】
また、図１〜図３に示すように、本実施の形態に係るベースフレーム部１７は全体が駆血帯１１の巻装方向に沿って湾曲して形成され、駆血帯１１を腕Ａに巻装した場合には、ベースフレーム部１７が腕Ａに沿って装着されるように構成されている。
図１〜図３に示すように、本実施の形態に係るベースフレーム部１７は、幅方向（駆血帯１１の巻装方向と直交する方向）の両端部３６、３６が厚さ方向上方に折曲形成され、駆動リンク部２２の他端部２５及び規制部４４が接触して駆動リンク部２２の回動動作を規制するように構成されている。
【００２８】
以下、本実施の形態に係る駆血帯固定具１０の作用について説明する。
図１及び図２に示すように、本実施の形態に係る駆血帯固定具１０を使用する場合には、まず係止部１４に設けられた孔部１３に、駆血帯１１の一端部１２を挿通固定する。
続いて、駆血帯１１を腕Ａに巻装した後に、図１及び図２に示すように、駆血帯１１の他端部１５を挟持部１６に挟持固定する。その結果、駆血帯１１が腕Ａの静脈を圧迫して怒張させることができる。
【００２９】
この際、図３（ｂ）、（ｃ）に示すように、操作部３５を固定操作した場合には（図３中矢印Ｌ方向）、駆動リンク部２２が回動し、図３（ｂ）に示すように、従動リンク部２４は連結リンク部２７を介して第二アーム部３０へ接近するように回動し、図３（ｃ）に示すように、駆血帯１１の他端部１５を第二アーム部３０のリング状部材３２との間に挟持する。
また一方、図３（ａ）、（ｂ）に示すように、操作部３５を開放操作した場合には（図３中矢印Ｆ方向）、駆動リンク部２２が回動し、図３（ｂ）に示すように、従動リンク部２４は連結リンク部２７を介して第二アーム部３０から離間するように回動し、図３（ａ）に示すように、駆血帯１１の他端部１５を第二アーム部３０のリング状部材３２との間から解放する。
【００３０】
従って、図１〜図３に示すように、本実施の形態に係る駆血帯固定具１０にあっては、駆血帯１１の一端部１２を孔部１３に挿通して固定し、駆血帯１１を腕Ａに巻装して駆血帯１１の他端部１５を挟持部１６に挟持した場合には、駆血帯１１が腕Ａに固定され、腕Ａの静脈が圧迫され怒張する一方で、挟持部１６から駆血帯１１の他端部１５が開放された場合には、駆血帯１１が腕Ａに巻装された状態から開放されるので、挟持部１６の操作のみで駆血帯１１の着脱が可能となる。
その結果、採血等において片手で簡単に外すことができる駆血帯固定具を提供することができる。
【００３１】
特に、図３に示すように、本実施の形態に係る駆血帯固定具１０にあっては、操作部３５が固定操作された場合には（図３中矢印Ｌ方向）、従動リンク部２４は連結リンク部２７を介して第二アーム部３０へ接近するように回動し、駆血帯１１の他端部１５が第二アーム部３０のリング状部材３２との間に挟持される一方、操作部３５が開放操作された場合には（図３中矢印Ｆ方向）、従動リンク部２４は連結リンク部２７を介して第二アーム部３０から離間するように回動し、駆血帯１１の他端部１５が第二アーム部３０のリング状部材３２との間から解放されるので、操作部３５を回動させることによって、挟持部１６を直接操作することなく、駆血帯１１の他端部１５を固定し、又、解放することができる。
【００３２】
また、図１及び図２に示すように、本実施の形態に係るベースフレーム部１７は全体が湾曲して形成されているので、駆血帯１１を腕Ａに巻装した場合には、ベースフレーム部１７が腕Ａに沿って装着される。その結果、駆血帯１１が腕Ａに巻装された状態において、ベースフレーム部１７によって部分的に腕Ａが圧迫されるといった事態を防止し、駆血帯１１による適切な血管圧迫状態を保つことができる。
【００３３】
また、図１〜図３に示すように、本実施の形態にあっては、厚さ方向に沿って、上から連結リンク部２７、駆動リンク部２２、従動リンク部２４の順に取り付けられているので、ゴム製の駆血帯１１の他端部１５を伸長した状態で挟持部１６に挟持した場合には、駆血帯１１がゴムの復元力により挟持部１６を構成する従動リンク部２４を厚さ方向においてベースフレーム部１７側へと牽引して、従動リンク部２４の回動動作を制限することができる。その結果、駆血帯１１を確実に固定することができる。
【産業上の利用可能性】
【００３４】
本考案は、駆血帯固定具に広く適用可能であり、産業上利用可能性を有している。
【符号の説明】
【００３５】
１０：駆血帯固定具
１１：駆血帯
１２：一端部
１３：孔部
１４：係止部
１５：他端部
１６：挟持部
１７：ベースフレーム部
１８：リンク構造
１９：第一固定関節部
２０：第二固定関節部
２１：駆動リンク部の一端部
２２：駆動リンク部
２３：従動リンク部の一端部
２４：従動リンク部
２５：駆動リンク部の他端部
２６：従動リンク部の他端部
２７：連結リンク部
２８：ベースフレーム本体部
２９：第一アーム部
３０：第二アーム部
３１：第二アーム部の先端部
３２：リング状部材
３５：操作部
３６：ベースフレーム本体部の幅方向両端部
４０、４１、４２、４３：リベット
４４：規制部
４５：連結リンク部の一端部
４６：連結リンク部の他端部
【図１】
0003204836.tif 000003
【図２】
0003204836.tif 000004
【図３】
0003204836.tif 000005